(57)【要約】【課題】電線に外装される外装部材の端部を確実に組み付けることができる電気接続箱、及び、ワイヤハーネスを提供することを目的とする。【解決手段】ワイヤハーネスＷＨに適用される電気接続箱１は、電子部品２を収容する第１部材３１、及び、第２部材３２を含んで構成され、第１部材３１に形成され電線Ｗが挿通される挿通口３６、及び、第１部材３１の挿通口３６の外部側に形成され外装部材Ｔの端部が積層方向に沿って設置される外装設置部３７を有する筐体３と、一対で設けられる係止部４ｃを有し一対の係止部４ｃを介して外装設置部３７に係止され第１部材３１との間に外装部材Ｔの端部を保持するカバー部材４とを備え、第２部材３２は、カバー部材４の被押え端部４ｄを第１部材３１との間に挟み込み当該被押え端部４ｄを第１部材３１側に向けて押える押え壁部３２ｃを有する。【選択図】図６
2016208767.tif 000002
【特許請求の範囲】
【請求項１】
積層方向に沿って積層され相互に組み付けられると共に内部に電子部品を収容する第１部材、及び、第２部材を含んで構成され、前記第１部材に形成され前記電子部品に接続される電線が挿通される挿通口、及び、前記第１部材の前記挿通口の外部側に形成され前記電線に外装される外装部材の端部が前記積層方向に沿って設置される外装設置部を有する筐体と、
前記積層方向と交差する方向に対向して一対で設けられる係止部を有し当該一対の係止部を介して前記外装設置部に係止され前記第１部材との間に前記外装部材の端部を挟み込んで保持するカバー部材とを備え、
前記第２部材は、前記カバー部材の前記積層方向の一方側の端部であって前記外装部材が延在する側とは反対側の端部である被押え端部を前記第１部材との間に挟み込み当該被押え端部を前記第１部材側に向けて押える押え壁部を有することを特徴とする、
電気接続箱。
【請求項２】
前記被押え端部と前記押え壁部とは、前記押え壁部による前記被押え端部の押え方向に重なる重複部位を有する、
請求項１に記載の電気接続箱。
【請求項３】
電線と、
前記電線に外装される外装部材と、
積層方向に沿って積層され相互に組み付けられると共に内部に前記電線が接続される電子部品を収容する第１部材、及び、第２部材を含んで構成され、前記第１部材に形成され前記電線が挿通される挿通口、及び、前記第１部材の前記挿通口の外部側に形成され前記電線に外装される外装部材の端部が前記積層方向に沿って設置される外装設置部を有する筐体と、前記積層方向と交差する方向に対向して一対で設けられる係止部を有し当該一対の係止部を介して前記外装設置部に係止され前記第１部材との間に前記外装部材の端部を挟み込んで保持するカバー部材とを有する電気接続箱とを備え、
前記第２部材は、前記カバー部材の前記積層方向の一方側の端部であって前記外装部材が延在する側とは反対側の端部である被押え端部を前記第１部材との間に挟み込み当該被押え端部を前記第１部材側に向けて押える押え壁部を有することを特徴とする、
ワイヤハーネス。
【発明の詳細な説明】
【技術分野】
【０００１】
本発明は、電気接続箱、及び、ワイヤハーネスに関する。
【背景技術】
【０００２】
車両等に搭載されるワイヤハーネスに適用される従来の電気接続箱として、例えば、特許文献１には、外側壁に電線の引出用の開口を有し、当該開口より引出した電線を開口の外側で屈曲させて外側壁に沿って引延ばすようにした電気接続箱が開示されている。この電気接続箱は、電線の引延ばし方向と反対側に位置する開口の縁部に一体的に、開口を閉塞する保護蓋を、ヒンジにより電線の屈曲方向と同じ方向に回動可能に連結し、該保護蓋を内部に電線を収容可能な樋状に形成すると共に、保護蓋と外側壁とに、保護蓋と外側壁との間に電線を挟んだ状態で保護蓋を外側壁に対してロックするロック手段が設けられている。
【先行技術文献】
【特許文献】
【０００３】
【特許文献１】特開平９−１６３５５０号公報
【発明の概要】
【発明が解決しようとする課題】
【０００４】
ところで、上述の特許文献１に記載の電気接続箱は、例えば、電線にコルゲートチューブ等の外装部材が外装されたものに適用される場合があり、このような場合に外装部材の端部が確実に組み付けられることが望まれている。
【０００５】
本発明は、上記の事情に鑑みてなされたものであって、電線に外装される外装部材の端部を確実に組み付けることができる電気接続箱、及び、ワイヤハーネスを提供することを目的とする。
【課題を解決するための手段】
【０００６】
上記目的を達成するために、本発明に係る電気接続箱は、積層方向に沿って積層され相互に組み付けられると共に内部に電子部品を収容する第１部材、及び、第２部材を含んで構成され、前記第１部材に形成され前記電子部品に接続される電線が挿通される挿通口、及び、前記第１部材の前記挿通口の外部側に形成され前記電線に外装される外装部材の端部が前記積層方向に沿って設置される外装設置部を有する筐体と、前記積層方向と交差する方向に対向して一対で設けられる係止部を有し当該一対の係止部を介して前記外装設置部に係止され前記第１部材との間に前記外装部材の端部を挟み込んで保持するカバー部材とを備え、前記第２部材は、前記カバー部材の前記積層方向の一方側の端部であって前記外装部材が延在する側とは反対側の端部である被押え端部を前記第１部材との間に挟み込み当該被押え端部を前記第１部材側に向けて押える押え壁部を有することを特徴とする。
【０００７】
また、上記電気接続箱では、前記被押え端部と前記押え壁部とは、前記押え壁部による前記被押え端部の押え方向に重なる重複部位を有するものとすることができる。
【０００８】
上記目的を達成するために、本発明に係るワイヤハーネスは、電線と、前記電線に外装される外装部材と、積層方向に沿って積層され相互に組み付けられると共に内部に前記電線が接続される電子部品を収容する第１部材、及び、第２部材を含んで構成され、前記第１部材に形成され前記電線が挿通される挿通口、及び、前記第１部材の前記挿通口の外部側に形成され前記電線に外装される外装部材の端部が前記積層方向に沿って設置される外装設置部を有する筐体と、前記積層方向と交差する方向に対向して一対で設けられる係止部を有し当該一対の係止部を介して前記外装設置部に係止され前記第１部材との間に前記外装部材の端部を挟み込んで保持するカバー部材とを有する電気接続箱とを備え、前記第２部材は、前記カバー部材の前記積層方向の一方側の端部であって前記外装部材が延在する側とは反対側の端部である被押え端部を前記第１部材との間に挟み込み当該被押え端部を前記第１部材側に向けて押える押え壁部を有することを特徴とする。
【発明の効果】
【０００９】
本発明に係る電気接続箱、及び、ワイヤハーネスは、筐体を構成する第１部材に形成された挿通口を介して当該筐体の内外に渡って電線が挿通され、当該電線に外装される外装部材の端部が外装設置部に設置される。そして、電気接続箱、ワイヤハーネスは、外装設置部が形成された第１部材と当該外装設置部に組み付けるカバー部材との間に外装部材の端部を挟み込んで保持する。このとき、電気接続箱、ワイヤハーネスは、カバー部材が外装設置部に対して一対の係止部によって係止されることに加えて、第１部材と第２部材との間にカバー部材の被押え端部を挟み込み、第２部材の押え壁部によって当該被押え端部を第１部材側に向けて押えることで、外装部材の端部を保持するためのカバー部材を確実に筐体に組み付けることができる。この結果、電気接続箱、ワイヤハーネスは、電線に外装される外装部材の端部を確実に組み付けることができる、という効果を奏する。
【図面の簡単な説明】
【００１０】
【図１】図１は、実施形態に係る電気接続箱の概略構成を表す分解斜視図である。
【図２】図２は、実施形態に係る電気接続箱の概略構成を表す斜視図である。
【図３】図３は、図２中のＡ矢視図である。
【図４】図４は、図２中のＢ矢視図である。
【図５】図５は、実施形態に係る電気接続箱のコルゲートカバーの概略構成を表す斜視図である。
【図６】図６は、図３中のＣ−Ｃ断面図である。
【図７】図７は、実施形態に係る電気接続箱のコルゲートカバーを含む部分断面図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
［実施形態］
図１は、実施形態に係る電気接続箱の概略構成を表す分解斜視図である。図２は、実施形態に係る電気接続箱の概略構成を表す斜視図である。図３は、図２中のＡ矢視図（上面図）である。図４は、図２中のＢ矢視図（側面図）である。図５は、実施形態に係る電気接続箱のコルゲートカバーの概略構成を表す斜視図である。図６は、図３中のＣ−Ｃ断面図である。図７は、実施形態に係る電気接続箱のコルゲートカバーを含む部分断面図である。なお、図１は、わかり易くするため電気接続箱に収容される電子部品のうちの一部を二点鎖線で図示している。また、図１、図３、図６、図７は、わかり易くするため電線の一部、又は、全部の図示を省略している。
【００１３】
図１、図２、図３、図４に示す電気接続箱１は、自動車等の車両に搭載され、ワイヤハーネスＷＨに組み込まれ、電線等の接続処理用部品を構成するコネクタ、ヒューズ、リレー、分岐部、電子制御ユニット等の電装品を集約して内部に収容するものである。電気接続箱１は、例えば、車両のエンジンルームや車体の下方部分に設置され、バッテリ等の電源と、車両内に搭載される各種電子機器との間に接続されている。電気接続箱１は、電源から供給された電力を車両内の各種電子機器に分配する。なお、電気接続箱１は、ジャンクションボックス、ヒューズボックス、リレーボックスなどとも呼ばれる場合があるが、本実施形態ではこれらを総称して電気接続箱と呼ぶ。なお、以下では、特に断りのない限り、電気接続箱１が車両に搭載された状態での方向として説明する。
【００１４】
ここで、ワイヤハーネスＷＨは、例えば、車両に搭載される各装置間の接続のために、電源供給や信号通信に用いられる複数の電線Ｗを束にして集合部品とし、コネクタ等で複数の電線Ｗを一度に各装置に接続するようにしたものである。ワイヤハーネスＷＨは、複数の電線Ｗと、電線Ｗに外装される外装部材としてのコルゲートチューブＴと、当該電線Ｗと電気的に接続される電気接続箱１とを備える。電線Ｗは、例えば、複数の導電性の金属素線を撚り合わせた導体部（芯線）と、当該導体部の外側を覆う絶縁性の被覆部とを含んで構成される。コルゲートチューブＴは、可撓性を有する筒状（管状）、ここでは、円筒状に形成される。コルゲートチューブＴは、典型的には、外周面に周方向に沿った凹凸が複数形成された蛇腹形状をなしており、その内側に電線Ｗが挿入される。ワイヤハーネスＷＨは、複数の電線Ｗを束ねて集約し、当該束ねられた電線Ｗの外側にコルゲートチューブＴが装着されると共に、束ねられた電線Ｗの端部に接続部としてのコネクタ等を介して電気接続箱１が電気的に接続される。ワイヤハーネスＷＨは、この他、さらに、グロメット、プロテクタ、固定具等を含んで構成されてもよい。
【００１５】
そして、電気接続箱１は、電子部品２（図６も参照）と、電子部品２を収容する筐体３と、筐体３に組み付けられるカバー部材としてのコルゲートカバー４とを備える。電気接続箱１は、筐体３の内部の収容空間部３５（図６も参照）に、種々の電子部品２が収容される。本実施形態の電気接続箱１は、筐体３に挿通口３６（図６、図７も参照）を有し、筐体３に収容された電子部品２に電気的に接続される電線Ｗを、当該挿通口３６を介して筐体３の内外に渡って挿通すると共に、当該電線Ｗを挿通口３６の外部側で屈曲させてコルゲートチューブＴと共に筐体３の壁体（後述の側壁部３１ａ）に沿って延在させたものである。そして、電気接続箱１は、コルゲートカバー４が筐体３に組み付けられることで、筐体３とコルゲートカバー４との間にコルゲートチューブＴの端部を保持するものである。これにより、電気接続箱１は、例えば、電気接続箱１に配索される電線Ｗの配索本数や径が変更された場合であっても、挿通口３６においてコルゲートチューブＴの端部が保持されることで、水が挿通口３６を介して筐体３内に直接的に侵入してしまうことを抑制したものである。以下、各図を参照して、電気接続箱１の各構成について具体的に説明する。
【００１６】
電子部品２は、筐体３の内部に収容され、電線Ｗが電気的に接続されるものである。電子部品２は、複数設けられる。電子部品２は、例えば、コネクタ、ヒューズ、リレー、分岐部、電子制御ユニット、これらをユニット化した電子部品ユニット等である。
【００１７】
筐体３は、内部に形成される収容空間部３５に電子部品２を収容するものであり、第１部材としてのフレーム３１、第２部材としてのロアカバー３２、及び、第３部材としてのアッパカバー３３を含んで構成される。筐体３は、フレーム３１、ロアカバー３２、及び、アッパカバー３３が分割された３層分割構造となっており、所定の積層方向に沿って積層され相互に組み付けられると共に内部に電子部品２を収容する収容空間部３５を区画する。フレーム３１、ロアカバー３２、及び、アッパカバー３３は、絶縁性の合成樹脂によって形成される。
【００１８】
フレーム３１は、電子部品２が組み付けられる収容空間部３５を形成する主たる部材である。フレーム３１は、多角形筒状（矩形筒状）に形成された壁体である側壁部３１ａによって中空状に形成される。フレーム３１は、この電気接続箱１がエンジンルーム等に接続された状態で、鉛直方向上側、及び、鉛直方向下側に開口が位置する。ロアカバー３２は、フレーム３１の鉛直方向下側の開口を塞ぐ皿状（トレイ状）の部材である。ロアカバー３２は、多角形筒状（矩形筒状）に形成された壁体である側壁部３２ａと、側壁部３２ａの一方の開口（鉛直方向下側の開口）を塞ぐ底部３２ｂとによって中空状に形成される。アッパカバー３３は、フレーム３１の鉛直方向上側の開口を塞ぐ蓋状の部材である。アッパカバー３３は、多角形筒状（矩形筒状）に形成された壁体である側壁部３３ａと、側壁部３３ａの一方の開口（鉛直方向上側の開口）を塞ぐ天井部３３ｂとによって中空状に形成される。筐体３は、フレーム３１の鉛直方向下側の開口とロアカバー３２の開口とが対向し、フレーム３１の鉛直方向上側の開口とアッパカバー３３の開口とが対向するようにして、ロアカバー３２がフレーム３１の鉛直方向下側に組み付けられアッパカバー３３がフレーム３１の鉛直方向上側に組み付けられる。筐体３は、フレーム３１に対して、種々の形式の係止機構３４を介して、アッパカバー３３、ロアカバー３２が係止される。なお、フレーム３１とアッパカバー３３とロアカバー３２とが積層される積層方向は、典型的には、この電気接続箱１がエンジンルーム等に接続された状態で、鉛直方向に沿っているが、当該電気接続箱１の設置状況によっては当該積層される方向が鉛直方向に対して所定の角度を有して設置される場合もある。
【００１９】
そして、フレーム３１、ロアカバー３２、及び、アッパカバー３３によって構成される筐体３は、収容空間部３５と、挿通口３６と、外装設置部３７とを有する。
【００２０】
収容空間部３５（図６も参照）は、フレーム３１、ロアカバー３２、及び、アッパカバー３３によって区画され、当該フレーム３１、ロアカバー３２、及び、アッパカバー３３によって囲われた空間である。すなわち、収容空間部３５は、鉛直方向と交差する方向がフレーム３１の側壁部３１ａ、ロアカバー３２の側壁部３２ａ、アッパカバー３３の側壁部３３ａによって区画され、鉛直方向下側がロアカバー３２の底部３２ｂによって区画され、鉛直方向上側がアッパカバー３３の天井部３３ｂによって区画される。電気接続箱１は、この収容空間部３５内にブロック３８（図６も参照）が設けられる。ブロック３８は、フレーム３１に対して着脱可能に組み付けられる。ブロック３８は、フレーム３１等と同様に絶縁性の合成樹脂によって形成されると共に多数のキャビティ３８ａが形成される。電子部品２は、キャビティ３８ａ内に組み付けられる。ブロック３８は、各キャビティ３８ａに対して鉛直方向上側から電子部品２が差し込まれ嵌合されると共に、鉛直方向下側から電線Ｗの端末を構成する端子等が差し込まれ嵌合されることで、各電子部品２と電線Ｗとが電気的に接続される。
【００２１】
挿通口３６（図６、図７も参照）は、収容空間部３５内の電子部品２に接続される電線Ｗを筐体３の内外、言い換えれば、収容空間部３５の内外に渡って挿通させるものであり、ここでは、フレーム３１に形成される。挿通口３６は、フレーム３１において、積層方向と交差する方向の壁体、すなわち、側壁部３１ａを構成する１つの壁面に形成される。挿通口３６は、フレーム３１の鉛直方向下側の端部、すなわち、ロアカバー３２が設けられる側の端部に形成される。挿通口３６は、フレーム３１に対してロアカバー３２が組み付けられた状態で鉛直方向上側に向けて開口する。収容空間部３５内の電子部品２に接続される電線Ｗは、挿通口３６を介して筐体３の内外に渡って挿通され、配索される。
【００２２】
外装設置部３７は、フレーム３１の挿通口３６の外部側に形成されコルゲートチューブＴの端部が積層方向に沿って設置されものである。外装設置部３７は、フレーム３１において、積層方向と交差する方向の壁体、すなわち、側壁部３１ａを構成する壁面のうち上述の挿通口３６が形成される壁面に設けられる。外装設置部３７は、フレーム３１において、収容空間部３５が形成される内部側とは反対側の外部側に露出して形成される。外装設置部３７は、図６、図７にも示すように、設置壁面部３７ａと、受け部３７ｂと、嵌合凸部３７ｃと、係止部３７ｄとを含んで構成される。設置壁面部３７ａは、コルゲートチューブＴの外形に沿うような半円筒状に形成される部分であり、側壁部３１ａの外部側の壁面に当該側壁部３１ａと一体で形成される。設置壁面部３７ａは、外周面側が側壁部３１ａと対向し、かつ、中心軸線方向が鉛直方向に対して若干傾斜を有するような位置関係で形成される。受け部３７ｂ、半円筒状に形成される設置壁面部３７ａの内周面の鉛直方向下端部に形成される。受け部３７ｂは、設置壁面部３７ａの内周面に沿って延在する半円弧状の突状部として形成される。受け部３７ｂは、外装設置部３７にコルゲートチューブＴの端部が設置された状態で当該コルゲートチューブＴの端面が当接しこれを受ける面として形成される。嵌合凸部３７ｃは、半円筒状に形成される設置壁面部３７ａの内周面の鉛直方向上端部、及び、中腹部に複数形成される。ここでは、嵌合凸部３７ｃは、３つ形成される。各嵌合凸部３７ｃは、設置壁面部３７ａの内周面に沿って延在する半円弧状の突状部として形成される。各嵌合凸部３７ｃは、外装設置部３７にコルゲートチューブＴの端部が設置された状態で当該コルゲートチューブＴの外周面に形成された蛇腹状の凹凸に嵌合し噛み込む部分として形成される。係止部３７ｄは、コルゲートカバー４が係止される部分である。係止部３７ｄは、半円筒状に形成された設置壁面部３７ａの端部の外周面側に一対で設けられる。ここでは、各係止部３７ｄは、後述するコルゲートカバー４の係止部４ｃを構成する係合爪部が係合可能な係合凹部によって構成される。
【００２３】
コルゲートカバー４は、筐体３に組み付けられ、筐体３との間にコルゲートチューブＴの端部を保持するものである。コルゲートカバー４は、図５、図６、図７にも示すように、カバー壁面部４ａと、嵌合凸部４ｂと、係止部４ｃとを含んで構成される。カバー壁面部４ａは、コルゲートチューブＴの外形に沿うような半円筒状に形成される部分であり、フレーム３１等と同様に絶縁性の合成樹脂によって形成される。嵌合凸部４ｂは、半円筒状に形成されるカバー壁面部４ａの内周面の鉛直方向上端部、及び、中腹部に複数形成される。ここでは、嵌合凸部４ｂは、３つ形成される。各嵌合凸部４ｂは、設置壁面部３７ａの内周面に沿って延在する半円弧状の突状部として形成される。各嵌合凸部４ｂは、外装設置部３７にコルゲートチューブＴの端部が設置されコルゲートカバー４が外装設置部３７に組み付けられた状態で当該コルゲートチューブＴの外周面に形成された蛇腹状の凹凸に嵌合し噛み込む部分として形成される。各嵌合凸部４ｂは、コルゲートカバー４が外装設置部３７に組み付けられた状態でコルゲートチューブＴを挟んで外装設置部３７の各嵌合凸部３７ｃとほぼ対向する位置に形成される。係止部４ｃは、外装設置部３７に係止される部分である。係止部４ｃは、半円筒状に形成されたカバー壁面部４ａの端部の外周面側に一対で設けられる。つまり、係止部４ｃは、コルゲートカバー４が外装設置部３７に組み付けられた状態で、積層方向と交差する方向に対向するように一対で設けられる。ここでは、各係止部４ｃは、カバー壁面部４ａに突起状に形成され、外装設置部３７の係止部３７ｄを構成する係合凹部に係合可能な係合爪部によって構成される。コルゲートカバー４は、一対の係止部４ｃを介して外装設置部３７の係止部３７ｄに係止されフレーム３１との間にコルゲートチューブＴの端部を挟み込んで保持する。
【００２４】
そして、本実施形態のコルゲートカバー４は、一対の係止部４ｃによる係止に加えて、被押え端部４ｄがロアカバー３２によってフレーム３１に向けて押えられることで、より確実に筐体３に組み付けられる構成となっている。
【００２５】
ここで、被押え端部４ｄは、コルゲートカバー４の積層方向の一方側の端部であってコルゲートチューブＴが延在する側とは反対側の端部である。つまり、被押え端部４ｄは、コルゲートカバー４が外装設置部３７に組み付けられた状態で、鉛直方向下側に位置する端部であり、鉛直方向と直交する水平方向に沿って延在する端部である。被押え端部４ｄは、コルゲートカバー４が外装設置部３７に組み付けられた状態で、鉛直方向下側の先端側がフレーム３１側に屈曲している（特に図７等参照）。
【００２６】
また、コルゲートカバー４は、コルゲートカバー４が外装設置部３７に組み付けられた状態で、被押え端部４ｄの鉛直方向上側に位置する部分に端面当接部４ｅが形成されている。端面当接部４ｅは、壁面部４ａの外部側の面に、積層方向と交差する方向（ここでは、水平方向）に沿った突状部として形成される。端面当接部４ｅは、被押え端部４ｄがロアカバー３２によってフレーム３１側に向けて押えられた状態でロアカバー３２の鉛直方向上側の端面（より詳細には後述する押え壁部３２ｃの鉛直方向上側の先端面）が当接しこれを受ける面として形成される。
【００２７】
そして、本実施形態のロアカバー３２は、被押え端部４ｄをフレーム３１に押える押え壁部３２ｃを有する。押え壁部３２ｃは、ロアカバー３２がフレーム３１に組み付けられた状態で、フレーム３１の挿通口３６、外装設置部３７が位置する部分の近傍に設けられる。押え壁部３２ｃは、被押え端部４ｄをフレーム３１との間に挟み込み被押え端部４ｄと当接して当該被押え端部４ｄをフレーム３１側に向けて押える部分である。押え壁部３２ｃは、ロアカバー３２の側壁部３２ａの底部３２ｂ側とは反対側の端部、すなわち、フレーム３１側の端部によって構成される。さらに言えば、押え壁部３２ｃは、側壁部３２ａに形成される段付き部３２ｄより鉛直方向上側の先端部によって構成される。側壁部３２ａに形成される段付き部３２ｄは、コルゲートカバー４の被押え端部４ｄを押え壁部３２ｃの内側に入り込ませるための逃げ部として形成され、言い換えれば、押え壁部３２ｃを外側にオフセットさせるための部分である。
【００２８】
上記のように構成される電気接続箱１は、電線Ｗが挿通口３６に挿通されコルゲートチューブＴの端部がフレーム３１の外装設置部３７の設置壁面部３７ａに積層方向に沿って設置された状態で、コルゲートカバー４の係止部４ｃが外装設置部３７の係止部３７ｄに係止されることで、コルゲートカバー４が外装設置部３７に組み付けられる。電線Ｗは、挿通口３６の外部側で屈曲されコルゲートチューブＴと共に側壁部３１ａに沿って鉛直方向上側に延在する。この状態で、電気接続箱１は、受け部３７ｂがコルゲートチューブＴの端面と当接しこれを受けると共に、コルゲートカバー４がフレーム３１の外装設置部３７との間にコルゲートチューブＴの端部を挟み込んで保持する。また、電気接続箱１は、この状態で、外装設置部３７、コルゲートカバー４の各嵌合凸部３７ｃ、各嵌合凸部４ｂがコルゲートチューブＴの外周面に形成された蛇腹状の凹凸に嵌合し噛み込むことで、当該コルゲートチューブＴの端部がコルゲートカバー４と外装設置部３７との間から脱落することが規制される。
【００２９】
そして、電気接続箱１は、コルゲートカバー４がコルゲートチューブＴの端部を挟み込むようにして外装設置部３７に組み付けられた状態で、フレーム３１の鉛直方向下側の開口を塞ぐようにしてロアカバー３２が組み付けられる。この状態で、電気接続箱１は、ロアカバー３２の押え壁部３２ｃの鉛直方向上側の先端面がコルゲートカバー４の端面当接部４ｅに当接すると共にコルゲートカバー４の被押え端部４ｄが押え壁部３２ｃの内側に位置して、当該押え壁部３２ｃによってフレーム３１側に向けて押えられる。電気接続箱１は、この状態で、被押え端部４ｄと押え壁部３２ｃとが当該押え壁部３２ｃによる被押え端部４ｄの押え方向、ここでは、筐体３の内外方向に重なる重複部位３９を有する。この重複部位３９は、被押え端部４ｄが内側に位置し、押え壁部３２ｃが外側に位置してラップする部分である。
【００３０】
以上で説明した電気接続箱１によれば、積層方向に沿って積層され相互に組み付けられると共に内部に電子部品２を収容するフレーム３１、及び、ロアカバー３２を含んで構成され、フレーム３１に形成され電子部品２に接続される電線Ｗが挿通される挿通口３６、及び、フレーム３１の挿通口３６の外部側に形成され電線Ｗに外装されるコルゲートチューブＴの端部が積層方向に沿って設置される外装設置部３７を有する筐体３と、積層方向と交差する方向に対向して一対で設けられる係止部４ｃを有し当該一対の係止部４ｃを介して外装設置部３７に係止されフレーム３１との間にコルゲートチューブＴの端部を挟み込んで保持するコルゲートカバー４とを備える。以上で説明したワイヤハーネスＷＨによれば、電線Ｗと、電線Ｗに外装されるコルゲートチューブＴと、電線Ｗが接続される電子部品２を収容する上記電気接続箱１とを備える。そして、ロアカバー３２は、コルゲートカバー４の積層方向の一方側の端部であってコルゲートチューブＴが延在する側とは反対側の端部である被押え端部４ｄをフレーム３１との間に挟み込み当該被押え端部４ｄをフレーム３１側に向けて押える押え壁部３２ｃを有する。
【００３１】
したがって、電気接続箱１、ワイヤハーネスＷＨは、筐体３を構成するフレーム３１に形成された挿通口３６を介して当該筐体３の内外に渡って電線Ｗが挿通され、当該電線Ｗに外装されるコルゲートチューブＴの端部が外装設置部３７に設置される。そして、電気接続箱１、ワイヤハーネスＷＨは、外装設置部３７が形成されたフレーム３１と当該外装設置部３７に組み付けるコルゲートカバー４との間にコルゲートチューブＴの端部を挟み込んで保持する。このとき、電気接続箱１、ワイヤハーネスＷＨは、コルゲートカバー４が外装設置部３７に対して一対の係止部４ｃによって係止されることに加えて、フレーム３１とロアカバー３２との間にコルゲートカバー４の被押え端部４ｄを挟み込み、ロアカバー３２の押え壁部３２ｃによって当該被押え端部４ｄをフレーム３１側に向けて押えることで、コルゲートチューブＴの端部を保持するためのコルゲートカバー４を確実に筐体３に組み付けることができる。またこのとき、電気接続箱１、ワイヤハーネスＷＨは、被押え端部４ｄの鉛直方向下側の先端側がフレーム３１側に屈曲した形状となっており、また、押え壁部３２ｃ側には被押え端部４ｄを押え壁部３２ｃの内側に入り込ませるための逃げ部として段付き部３２ｄが形成されていることから、ロアカバー３２を組み付けた際に当該ロアカバー３２の押え壁部３２ｃによって当該被押え端部４ｄをフレーム３１側に向けて押え込み易くすることができる。この結果、電気接続箱１、ワイヤハーネスＷＨは、コルゲートカバー４を３点で確実に固定することができるので、例えば、コルゲートカバー４のガタツキを抑制することができ、電線Ｗに外装されるコルゲートチューブＴの端部を確実に組み付けることができる。
【００３２】
さらに、以上で説明した電気接続箱１、ワイヤハーネスＷＨによれば、被押え端部４ｄと押え壁部３２ｃとは、押え壁部３２ｃによる被押え端部４ｄの押え方向に重なる重複部位３９を有する。したがって、電気接続箱１、ワイヤハーネスＷＨは、被押え端部４ｄと押え壁部３２ｃとが重複部位３９にて筐体３の内外方向に重なり互い違いに入り組んだ迷路状の構造を構成するので、コルゲートカバー４とロアカバー３２との隙間を介して外部側から収容空間部３５側に水が浸入することを抑制することができ、また、例えば、仮に侵入したとしても被押え端部４ｄと押え壁部３２ｃとの隙間を介して所定の方向に排水することができる。
【００３３】
なお、上述した本発明の実施形態に係る電気接続箱、及び、ワイヤハーネスは、上述した実施形態に限定されず、特許請求の範囲に記載された範囲で種々の変更が可能である。
【００３４】
以上で説明した筐体３は、フレーム３１、ロアカバー３２、及び、アッパカバー３３が分割された３層分割構造となっているものとして説明したがこれに限らず、少なくとも第１部材（フレーム３１）と第２部材（ロアカバー３２）とを含んでいればよく、例えば、フレーム３１とアッパカバー３３とが一体であってもよい。
【符号の説明】
【００３５】
１    電気接続箱
２    電子部品
３    筐体
４    コルゲートカバー（カバー部材）
４ｃ    係止部
４ｄ    被押え端部
３１    フレーム（第１部材）
３２    ロアカバー（第２部材）
３２ｃ    押え壁部
３５    収容空間部
３６    挿通口
３７    外装設置部
３９    重複部位
Ｔ    コルゲートチューブ（外装部材）
Ｗ    電線
ＷＨ    ワイヤハーネス
【図１】
2016208767.tif 000003
【図２】
2016208767.tif 000004
【図３】
2016208767.tif 000005
【図４】
2016208767.tif 000006
【図５】
2016208767.tif 000007
【図６】
2016208767.tif 000008
【図７】
2016208767.tif 000009